(57)【特許請求の範囲】
【請求項１】
矩形状の開口部が設けられた壁本体と、前記開口部の下辺部に取り付けられた防水シートとを備えた壁体において、
前記防水シートは、前記壁本体の表面に取り付けられるとともに上縁部が前記開口部の下縁に合わされた状態で、前記開口部の下辺部より下側の壁本体の表面を覆うシート本体と、このシート本体に設けられるとともに、前記開口部の下辺部両側のコーナー部に取り付けられ、これら両コーナー部をそれぞれ前記壁本体の表面側から覆った２つの互いに離間したコーナー止水部とを有し、
前記壁本体は、前記開口部の下方でバルコニーの防水床が取り付くものであり、前記シート本体は、前記防水床が前記壁本体に取り付けられた状態で、前記上縁部より下側の部分が前記防水床の上面まで延出可能となるように前記壁本体の表面に予め取り付けられていることを特徴とする壁体。
【請求項２】
請求項１記載の壁体であって、前記シート本体は、前記壁本体の両側部間に渡る長さの幅を有し、前記上縁部の略中央の部分に、前記開口部の下辺部及び前記開口部の両コーナー部に沿う凹部が形成されていることを特徴とする壁体。
【発明の詳細な説明】
【０００１】
【発明の属する技術分野】
本発明は、防水シートが開口部に取り付けられた壁体に関する。
【０００２】
【背景の技術】
建物の構築方法の一つとして、例えば壁や床といった構成要素を予め工場にてパネル化しておき、施工現場でこれらのパネルを組み立てることにより建物を構築するといったパネル工法が知られている。このパネル工法においては、複数の壁パネルを連結することで壁体の壁本体が形成されている。近年、このパネル工法においては更に工業化が進み、予めサイディング（外装材）を壁本体の表面に設けた壁体を建築現場に搬入する方法が進められ、現場での建築工数の削減、工期の短縮が図られている。このように予め外装材が表面に設けられる壁本体には、例えば特開平１１−１９７０号公報に開示のように、外装材を設ける前に壁本体の表面に防水シートを設けて防水処理を行っている。
【０００３】
ところで、壁本体にサッシ枠等を取り付けるための開口部が形成されている場合、特に、バルコニーの床などの防水床が取り付く壁本体にサッシ枠等を取り付けるための開口部が形成されている場合には、開口部の下辺部両側のコーナー部と、下辺部より下側の壁本体の表面とに対して、例えば以下のように防水処理を行う。即ち、まず予め工場において開口部の下辺部両側のコーナー部に対し、これらコーナー部を壁本体の表面側から覆う止水プレートを取り付け、次に建築現場において、開口部の下側の壁本体の表面に防水シートを貼り付け、この防水シートと止水プレートとを融着する。
【０００４】
【発明が解決しようとする課題】
しかしながら、上記のように開口部の下辺部両側のコーナー部と下辺部より下側の壁本体の表面とを防水処理する場合には、開口部の下辺部両側のコーナー部に取り付けられた止水プレートに防水シートを建築現場において融着するため、現場での手間がかかっていた。
【０００５】
本発明の課題は、壁に設けられた開口部の下辺部両側のコーナー部と、開口部の下辺部より下側の壁本体の表面とを容易に防水処理することができる防水シートを備えた壁体を提供することである。
【０００６】
【課題を解決するための手段】
以上の課題を解決するため、請求項１記載の発明は、例えば図１〜図７に示すように、矩形状の開口部２が設けられた壁本体４と、前記開口部２の下辺部３４に取り付けられた防水シート３とを備えた壁体（例えば、外壁体１）において、
前記防水シート３は、前記壁本体４の表面に取り付けられるとともに上縁部１４が前記開口部２の下縁に合わされた状態で、前記開口部２の下辺部３４より下側の壁本体４の表面を覆うシート本体１１と、このシート本体１１に設けられるとともに、前記開口部２の下辺部３４両側のコーナー部３３，３３に取り付けられ、これら両コーナー部３３，３３をそれぞれ前記壁本体４の表面側から覆った２つの互いに離間したコーナー止水部１２，１２とを有し、
前記壁本体４は、前記開口部２の下方でバルコニーの防水床１０が取り付くものであり、前記シート本体１１は、前記防水床１０が前記壁本体４に取り付けられた状態で、その上縁部１４より下側の部分（例えば、シート本体の下部分１５）が前記防水床１０の上面まで延出可能となるように前記壁本体４の表面に予め取り付けられていることを特徴とする。
【０００９】
請求項１記載の発明によれば、壁本体４の開口部２の下辺部３４には、開口部２の下辺部３４に上縁部１４を合わせて配置してシート本体１１が取り付けられ、開口部２の下辺部両側のコーナー部３３，３３にはこれらコーナー部３３，３３を壁本体４の表面側から覆うようにコーナー止水部１２，１２が取り付けられているので、開口部２より下側の壁本体４の表面と開口部２の下辺部両側のコーナー部３３，３３とは、防水シート３によって防水処理された状態となっている。従って、従来と異なり、防水シートと止水プレートとを建築現場において融着する必要がなく、開口部２の下辺部両側の各コーナー部３３にコーナー止水部１２の位置を合わせて防水シート３を取り付けるだけで、一度で容易に開口部２より下側の壁本体４の表面と開口部２の下辺部両側のコーナー部３３，３３とを防水処理することができる。
【００１１】
また、壁本体４は開口部２の下方でバルコニーの防水床１０が取り付くものであり、シート本体１１は、防水床１０が壁本体４に取り付けられた状態で、その上縁部１４より下側の部分１５が防水床１０の上面まで延出可能となるように壁本体４の表面に予め取り付けられている。従って、壁本体４の表面に取り付けられた防水シート３によって、開口部２より下側の壁本体４の表面と開口部２の下辺部両側のコーナー部３３，３３とが防水処理されるのに加え、開口部２の下方で壁本体４にバルコニーの防水床１０が取り付けられた際に、この防水床１０の上面にシート本体１１の下部分を延出させることで防水床１０の取付部分９０を防水処理することができる。よって、開口部２より下側の壁本体４の表面と開口部２の下辺部両側のコーナー部３３，３３と防水床１０の取付部分９０とを、防水シート３によって容易に防水処理することができる。
【００１２】
請求項２記載の発明は、例えば図５〜図７に示すように、請求項３記載の壁体（例えば外壁体５１）であって、前記シート本体６１は、前記壁本体４の両側部間に渡る長さの幅を有し、前記上縁部６４の略中央の部分に、前記開口部５２の下辺部８４及び前記開口部２の両コーナー部８３，８３に沿う凹部６３が形成されていることを特徴とする。
【００１３】
請求項２記載の発明によれば、シート本体６１は壁本体５４の両側部間に渡る長さの幅を有しており、シート本体６１の上縁部６４の略中央の部分には、開口部５２の下辺部８４及び開口部５２の両コーナー部８３，８３に沿う凹部６３が形成されているので、壁本体５４への防水床６０の取付位置の高さに関わらず、開口部５２の側方の壁本体５４の表面に取り付けられたシート本体６１の部分、つまりシート本体６１の凹部６３の底辺が位置する高さよりも上方に突出した突出部６７において壁本体５４の表面へのシート本体６１の取付面積を確保することができるとともに、シート本体６１の下部分６５において壁本体５４の表面から防水床６０の上面に延出し、壁本体５４の両側部間に渡って防水床６０の取付部分９１を防水処理することができる。
【００１６】
【発明の実施の形態】
以下、図１〜図４を参照して本発明の実施の形態を詳細に説明する。
本発明に係る外壁体１は、図１に示すように、サッシ枠（図示せず）が取り付けられる矩形状の開口部２が設けられた壁本体４の表面に、防水性を有する防水シート３等が取り付けられたものであり、壁本体４の表面における下端部においてバルコニー用の防水床１０が取り付けられている。
【００１７】
壁本体４は、棧材を矩形枠状に組み付け、その内側に補強棧材を縦、横もしくは縦横に組み付けてなる枠体の表裏両面に合板等の面材を取り付けることで構成された小壁パネル（図示せず）と腰壁パネル１０１と２つの壁パネル１０２，１０２等とを備える連結壁パネルからなる。具体的には、壁本体４は、平面視において２つの壁パネル１０２，１０２を離間させて並設し、これら壁パネル１０２，１０２の上端部どうしの間に小壁パネルを、下端部どうしの間に腰壁パネル１０１を設けることによってロ字状に形成されている。このように配置された２つの壁パネル１０２，１０２、小壁パネル及び腰壁パネル１０１で囲まれる内側部分には、矩形状の開口部２が設けられている。
防水床１０は、バルコニーの床部を構成するものであり、防水性を有する防水シート２１が表面に設けられている。
【００１８】
防水シート３は、図２及び図３（ａ）に示すように、壁本体４の表面に取り付けられた矩形シート状のシート本体１１と、このシート本体１１に設けられるとともに、開口部２の下辺部両側の各コーナー部３３に取り付けられ、これら両コーナー部をそれぞれ壁本体４の表面側から覆った２つのコーナー止水部１２，１２等とを備えている。
【００１９】
コーナー止水部１２は、平面視矩形状で、かつそのコーナー部に略Ｌ字状の切欠部が設けられた第１止水片２５と、この第１止水片２５の略Ｌ字状の切欠部の２辺部からそれぞれ第１止水片２５に対して直交するように立設されるとともに互いに接合された第２止水片２６及び第３止水片２７とを備えるものである。このうち、第２止水片２６は、コーナー部３３を構成する開口部２の内周面のうちの下面の側端部を覆っており、第３止水片２７は、内周面のうちの側面の下端部を覆っている。このように、コーナー止水部１２は、開口部２の下辺部両側の各コーナー部３３を止水処理した状態となっている。上記のような２つのコーナー止水部１２，１２は、シート本体１１の両側端部から離間するとともに互いに離間して第１止水片２５の下部分１５がシート本体１１の上縁部１４の表面に融着されることによりシート本体１１と一体化している。
【００２０】
シート本体１１は、壁本体４の両側部間に渡る長さの幅を有し、上記２つのコーナー止水部１２，１２の基端部の間に延在するシート本体１１の上縁部１４（以下、中央部１６とする）の上端が開口部２の下縁に合わされた状態で、開口部２の下辺部３４より下側の壁本体４の表面を覆っている。このシート本体１１は、上縁部１４において壁本体４の表面に取り付けられ、シート本体１１の上縁部１４より下側の部分（以下、シート本体の下部分とする）１５において壁本体４の表面から防水床１０の上面に延出し、防水床１０の上面の防水シート２１に融着されている。これにより、開口部２の下辺部３４の下側の壁本体４の表面と防水床１０の取付部分９０とはシート本体１１によって防水処理された状態となっている。なお、このようなシート本体１１は、本実施の形態においては塩化ビニル樹脂によって形成されている。
【００２１】
また、図３（ｂ）に示すように、シート本体１１の上縁部１４における上記２つのコーナー止水部１２，１２の基端部の外側の部分（以下、上縁部の両側部とする）と、壁本体４の表面との当接部分は、防水テープ６によって覆われている。
また、防水シート３が取り付けられた開口部２の下辺部３４は、２つのコーナー止水部１２，１２と、シート本体１１の上縁部１４の中央部１６との上から貼り付けられた防水テープ７によって覆われることにより防水処理されている。
なお、本実施の形態においては、防水テープ６，７としてブチルテープが用いられている。
【００２２】
また、防水シート３及び防水テープ６，７が取り付けられた壁本体４には、図３（ｃ）に示すように、防水シート３及び防水テープ６，７の上から防水透湿シート２０が貼り付けられている。防水透湿シート２０は、壁本体４の開口部２を露出するように開口部２の幅に対応した幅で下方に開口したコ字状の切欠部２３を備え、この切欠部２３の内側の辺が開口部２の両側辺部及び上辺部に沿ったコ字状となっている。この防水透湿シート２０は、壁本体４の表面において、開口部２より上側の部分と開口部２の側方の部分とを覆っている。また、防水透湿シート２０は、開口部２の側方の壁本体４の表面を覆った部分から下方に突出して延在しており、この突出部分において防水シート３と重なっている。
なお、このように防水透湿シート２０が貼り付けられた壁本体４の表面には、防水透湿シート２０の上から図示しない外装材が貼り付けられている。
【００２３】
次に、以上のように壁本体４の表面に防水シート３を取り付ける手順について説明する。
まず、図３（ａ）に示すように、壁本体４の表面に防水シート３を取り付ける。具体的には、開口部２のコーナー部３３，３３に、これらコーナー部３３，３３を壁本体４の表面側から覆うように２つのコーナー止水部１２，１２を取り付け、かつ、壁本体４の表面にシート本体１１を取り付ける。この作業は、開口部２の各コーナー部３３にコーナー止水部１２の位置を合わせ、かつ、開口部２の下辺部３４にシート本体１１の上縁部１４を合わせた状態で行う。この時、シート本体１１の下部分１５は、壁本体４の表面に取り付けずに、めくり上げることができるようにする。
【００２４】
次に、図３（ｂ）に示すように、開口部２の下辺部３４に、２つのコーナー止水部１２，１２とシート本体１１の上縁部１４の中央部１６との上から防水テープ７を貼り付ける。なお、図３（ｂ）においては、防水テープ６は、開口部２の下辺部３４における壁本体４の表面側の部分を覆うように貼り付けられているが、壁本体４の裏面側の部分にも同様に貼り付けられることが好ましい。更に、シート本体１１の上縁部１４の両側部と壁本体４の表面との当接部分を防水テープ６によって覆う。
【００２５】
次に、図３（ｃ）に示すように、壁本体４の表面に、防水シート３及び防水テープ６，７の上から壁本体４の表面に防水透湿シート２０を貼り付ける。また、この防水透湿シート２０の上から、壁本体４の表面に図示しない外装材を貼り付ける。なお、ここまでの作業は、建築現場での手間を省くべく、予め工場において行われることが好ましい。
【００２６】
次に、上記のように防水透湿シート２０及び外装材が貼り付けられた壁本体４の表面の下端部に防水床１０を取り付け、この防水床１０の上面に防水シート２１を貼り付ける。このとき、図４に示すように、壁本体４の表面に取り付けられた防水シート３のシート本体１１の下部分１５をめくり上げておき、このシート本体１１が防水床１０と壁本体４との間に挟まれないようにする。
そして、図４に示すように、めくり上げておいたシート本体１１の下部分１５を、防水床１０の上面に延出させてこの防水床１０の取付部分９０を覆わせ、シート本体の下端部と防水床１０の上面の防水シート２１とを融着する。
【００２７】
以上のように外壁体１に取り付けられた防水シート３によれば、開口部２の下辺部３４より下側の壁本体４の表面と開口部２の下側の両コーナー部３３，３３とを防水処理することができ、２つのコーナー止水部１２，１２とシート本体１１の上縁部１４の中央部１６との上から開口部２の下辺部３４に防水テープ７を貼り付けることにより、開口部２の下辺部３４を防水処理することができる。従って、従来と異なり、防水シートと止水プレートとを建築現場において融着する必要がなく、開口部２の各コーナー部３３にコーナー止水部１２の位置を合わせて防水シート３を取り付け、２つのコーナー止水部１２，１２とシート本体１１の上縁部１４の中央部１６との上から開口部２の下辺部３４に防水テープ７を貼り付けるだけで、容易に開口部２の下辺部３４と、この下辺部３４より下側の壁本体４の表面と開口部２の下側の両コーナー部３３，３３とを防水処理することができる。
【００２８】
また、壁本体４の表面に取り付けられた防水シート３によって、開口部２より下側の壁本体４の表面と開口部２の下側の両コーナー部３３，３３とを防水処理することができるのに加え、開口部２の下方で壁本体４に取り付けられた防水床１０の取付部分９０を防水処理することができる。従って、開口部２の下辺部３４より下側の壁本体４の表面と開口部２の下側の両コーナー部３３，３３と防水床１０の取付部分９０とを、防水シート３によって容易に防水処理することができる。
【００２９】
〔変形例〕
次に、上記実施の形態の変形例を、図５〜図７を参照して説明する。なお、上記実施の形態と同様の構成要素には同一の符号を付し、その説明を省略する。
本変形例における外壁体５１は、図６（ｃ）に示すように、防水シート５３が壁本体５４の表面に取り付けられる点と、防水床６０が壁本体５４の表面において開口部５２の下辺部８４に近接して取り付けられている点等とにおいて上記実施の形態における外壁体１と異なる。
【００３０】
防水床６０と壁本体５４の開口部５２との間の長さ（Ｈ２）は、図４及び７に示すように、上記実施の形態における防水床１０と壁本体４の開口部２との間の長さ（Ｈ１）より長くなっている。この点以外には、防水床６０は上記実施の形態における防水床１０と同様のものである。
【００３１】
防水シート５３は、図５及び図６（ａ）に示すように、壁本体５４の表面に取り付けられたシート本体６１と、開口部５２の下側の各コーナー部８３に取り付けられ、これら両コーナー部８３，８３をそれぞれ壁本体５４の表面側から覆った２つのコーナー止水部６２，６２等とから一体に形成されている。
【００３２】
シート本体６１は、壁本体５４の両側部間に渡る長さの幅を有した矩形シート状のものあり、その上縁部６４の中央部に、開口部５２の下辺部８４及び開口部５２の両コーナー部８３，８３に沿った凹部６３を備えている。このシート本体６１は、図６に示すように、凹部６３の底辺が位置する高さから上方に突出した突出部６７，６７において開口部５２の左右の壁本体５４の表面に取り付けられている。なお、本変形例においては、防水シート５３の上端、即ち突出部６７の上端と防水床６０との間の長さ（Ｈ４）は、上記実施の形態における防水シート３の上端と防水床１０との間の長さ（Ｈ３）より長い長さとなっている。
また、シート本体６１は、シート本体の下部分６５において、壁本体５４の両側部間に渡ってこの壁本体５４の表面から防水床６０の上面に延出し、防水床６０の防水シート２１と融着されており、防水床６０の取付部分９１を防水処理した状態となっている。
【００３３】
コーナー止水部６２は、上記実施の形態におけるコーナー止水部１２と同様のものであり、凹部６３における両コーナー部のそれぞれから立設されている。また、コーナー止水部６２の基端部は、凹部６３のコーナー部に沿ってシート本体６１と連続している。
【００３４】
上記のような防水シート５３は、図６に示すように、上記実施の形態において説明した壁本体４の表面に防水シート３を取り付ける手順と同様に、壁本体５４の表面に取り付けられる。
【００３５】
以上のように外壁体５１に取り付けられた防水シート５３によれば、壁本体５４への防水床６０の取付位置の高さに関わらず、シート本体６１の突出部６７において壁本体５４の表面へのシート本体６１の取付面積を確保することができるとともに、シート本体６１の下部分６５において壁本体５４の表面から防水床６０の上面に延出し、壁本体５４の両側部間に渡って防水床６０の取付部分９１を防水処理することができる。
【００３６】
なお、以上の実施の形態においては、コーナー止水部１２を、従来のコーナー止水材と同様の形状のものとして説明したが、開口部２の下側のコーナー部３３を防水処理することができる限りにおいて、他の形状のものでも良い。
また、シート本体１１は、開口部２の下側の壁本体４の表面を覆う矩形状のものして説明したが、開口部２の下側の壁本体４の表面を覆う限りにおいて、開口部２を除く壁本体４の表面の全面を覆うものとしても良い。
また、２つのコーナー止水部１２，１２は、シート本体１１の上縁部１４の表面に融着されることによりシート本体１１と一体化していることとして説明したが、これに限らず，シート本体１１とコーナー止水部１２，１２とを予め一体に形成することとしても良い。
【００３７】
【発明の効果】
請求項１記載の発明によれば、開口部の下辺部両側の各コーナー部にコーナー止水部の位置を合わせて防水シートを取り付けるだけで、一度で容易に開口部より下側の壁の表面と開口部の下辺部両側のコーナー部とを防水処理することができる。
【００３９】
また、開口部の下方で壁本体にバルコニーの防水床が取り付けられた際にこの防水床の上面にシート本体の下部分を延出させることで防水床の取付部分を防水処理することができるため、開口部の下辺部より下側の壁本体の表面と開口部の下側の両コーナー部と防水床の取付部分とを容易に防水処理することができる。
【００４０】
請求項２記載の発明によれば、請求項１記載の発明と同様の効果が得られるのは勿論のこと、壁本体への防水床の取付位置の高さに関わらず、シート本体の凹部の底辺が位置する高さよりも上方に突出した突出部において壁本体の表面へのシート本体の取付面積を確保することができるとともに、シート本体の下部分において壁本体の表面から防水床の上面に延出し、壁本体の両側部間に渡って防水床の取付部分を防水処理することができる。
【図面の簡単な説明】
【図１】本発明に係る外壁体の開口部の下辺部両側のコーナー部における縦断面図である。
【図２】本発明に係る防水シートを示す斜視図である。
【図３】外壁体の表面に防水シートを取り付ける手順を示す図である。
【図４】本発明に係る防水シートを用いて防水床の取付部分を防水処理する手順を示す図である。
【図５】本発明に係る防水シートの変形例を示す斜視図である。
【図６】本発明の変形例における防水シートを外壁体の表面に取り付ける手順を示す図である。
【図７】本発明の変形例における防水シートを用いて防水床の取付部分を防水処理する手順を示す図である。
【符号の説明】
１  外壁体（壁体）
２  開口部
３  防水シート
４  壁本体（壁）
１０  防水床
１１  シート本体
１２  コーナー止水部
１４  シート本体の上縁部
１５  シート本体の下部分（シート本体の上縁部より下側の部分）
３３  開口部の下側のコーナー部
３４  開口部の下辺部
６３  凹部
【図１】
0004092137.tif 000002
【図２】
0004092137.tif 000003
【図３】
0004092137.tif 000004
【図４】
0004092137.tif 000005
【図５】
0004092137.tif 000006
【図６】
0004092137.tif 000007
【図７】
0004092137.tif 000008